(57)【要約】      （修正有）【課題】マット部材を所望の配置構成で連結することができ、幼児や子供の好奇心をそそり興趣につきないマット玩具を提供する。【解決手段】マット部材１は、正方向に形成され、各辺部に他のマット部材と連結するための連結片１ａが形成される。また、マット部材１の表面には各辺部の中央部に向けて伸びる道路の図柄１０が表示されている。マット部材１の配置構成を変更するたびに異なる連続した道路の図柄１０が完成するため、様々な構成の道路の図柄１０を辿ったり、あるいは道路の図柄１０に沿って乗物や動物のおもちゃを走らせるようにして遊ぶことができ、ひいては幼児や子供の好奇心をそそり興趣につきないものとなる。【選択図】図１
0003132065.tif 000002
【実用新案登録請求の範囲】
【請求項１】
複数のマット部材が互いに平面上に連結されてなるマット玩具であって、
前記マット部材は、正多角形に形成され、各辺部に他のマット部材と連結するための連結片が形成されるとともに、表面には各辺部の中央部に向けて伸びる道路、線路、空路等の路の図柄が表示されていることを特徴とするマット玩具。
【請求項２】
複数のマット部材が互いに平面上に連結された状態のマット玩具の最外周部を取り囲むようにして環状部材が設けられ、該環状部材は複数に分割され、その内辺部にマット部材と連結するための連結片が形成されるとともに、その外辺部はフラットに形成されている請求項１に記載のマット玩具。
【請求項３】
前記マット部材の表面には滑り止め用の凹凸が形成されている請求項１または請求項２に記載のマット玩具。
【請求項４】
前記マット部材はＥＶＡ樹脂からなる請求項１ないし請求項３のいずれかに記載のマット玩具。
【考案の詳細な説明】
【技術分野】
【０００１】
本発明は、幼児や子供の遊技に使用されるマット玩具に関する。
【背景技術】
【０００２】
従来、幼児や子供の遊技に使用される玩具の一つとしてマット玩具が知られている。このマット玩具は、複数のクッション性のマット部材からなり、幼児や子供がそれらマット部材を互いに連結しながら組み立てていくものである。そして、各マット部材には、通常、動物や乗物などの図柄が表示されており、外観上の意匠性も工夫がなされているものが多い（特許文献１参照）。
【０００３】
これにより幼児や子供は図柄を楽しみながら組み立てることができ、また組み立てたあとはマット上で座りながら絵本を読んだり、あるいはその他の遊技に興じることができる。
【０００４】
【特許文献１】実用新案登録第３０７１６６２号公報
【考案の開示】
【考案が解決しようとする課題】
【０００５】
しかしながら、従来のマット玩具では、単に表面に動物や乗物などの図柄が表示されているだけなので、幼児や子供にとって飽きやすいものであり、一度あるいは何度か組み立てたあとはそのままの状態である場合が多いという問題があった。
【０００６】
本発明は、上述の問題に鑑みてなされたものであって、マット部材を所望の配置構成で連結することができ、幼児や子供の好奇心をそそり興趣につきないマット玩具の提供を課題とする。
【課題を解決するための手段】
【０００７】
本発明は、上記課題を解決するために、複数のマット部材が互いに平面上に連結されてなるマット玩具であって、前記マット部材は、正多角形に形成され、各辺部に他のマット部材と連結するための連結片が形成されるとともに、表面には各辺部の中央部に向けて伸びる道路、線路、空路等の路の図柄が表示されていることを特徴とする。
【０００８】
これによれば、表面には各辺部の中央部に向けて伸びる道路、線路、空路等の路の図柄が表示されているため、各マット部材をどのような配置構成で連結しても各辺部の路の図柄が一致して連続した路となり、しかもその組み合わせの種類は膨大なものとなる。
【０００９】
また、複数のマット部材が互いに平面上に連結された状態のマット玩具の最外周部を取り囲むようにして環状部材が設けられ、該環状部材は複数に分割され、その内辺部にマット部材と連結するための連結片が形成されるとともに、その外辺部はフラットに形成されているのが好ましい。これによればマット玩具の最外周をフラットにすることができ、マットとしての外観上の意匠性を向上させることができる。
【００１０】
また、前記マット部材の表面には滑り止め用の凹凸が形成されているのが好ましい。これによれば幼児や子供はマット玩具上で走り回ったりしても滑って転ぶことを防止することができる。
【００１１】
また、前記マット部材はＥＶＡ樹脂からなるのが好ましい。これによれば、耐水性、耐湿性に優れる素材で尚且つ、耐酸性、耐アルカリ性など耐薬品性に優れているほか、柔軟性にも優れ、ソフトな感触である。
【考案の効果】
【００１２】
本発明によれば、表面には各辺部の中央部に向けて伸びる道路、線路、空路等の路の図柄が表示されているため、各マット部材をどのような配置構成で連結しても各辺部の路の図柄が一致して連続した状態となり、しかもその組み合わせの種類は膨大なものとなる。このため、マット部材の配置構成を変更するたびに異なる連続した路の図柄が完成するため、出来上がった様々な構成の路の図柄を辿ったり、あるいは路の図柄に沿って乗物や動物のおもちゃを走らせるようにして遊ぶことができ、ひいては幼児や子供の好奇心をそそり興趣につきないものとなる。
【考案を実施するための最良の形態】
【００１３】
次に本発明の一実施形態について図面を参照しつつ説明する。
【００１４】
図１は本実施形態に係るマット玩具の斜視図である。
【００１５】
このマット玩具（Ｍ）は、図１に示すように、複数のマット部材（１）が互いに平面上に連結されて構成されるものである。
【００１６】
前記マット部材（１）は、図２に示すように、縦３００ｍｍ、横３００ｍｍ、厚さ１０ｍｍの正方形のクッション材により形成されている。このクッション材としては、例えばコルクやＥＶＡ樹脂などが挙げられる。特にＥＶＡ樹脂は、耐水性、耐湿性に優れる素材で尚且つ、耐酸性、耐アルカリ性など耐薬品性に優れているほか、柔軟性にも優れ、ソフトな感触であるためより好ましい。
【００１７】
また、前記マット部材（１）は、上下左右の各辺部に他のマット部材（１）と連結するための複数の連結片（１ａ）が形成されている。この連結片（１ａ）は、それぞれ上部が２５ｍｍの幅広、根本部が１６ｍｍの幅狭に形成されており、それに伴って連結片（１ａ）の間には同大同形の溝部（１ｂ）が形成されている。このため、隣り合うマット部材（１）を垂直方向にスライドさせながら互いの連結片（１ａ）を互いの溝部（１ｂ）に嵌め込むことにより、互いのマット部材（１）が平面方向に対する力に対しては外れないように連結される。
【００１８】
而して、各マット部材（１）ごとに上記連結を繰り返していけば一つのシート状のマット玩具（Ｍ）とすることができる。本実施形態では、マット玩具（Ｍ）が９枚のマット部材（１）からなるため、各マット部材（１）を縦３列および横３列に連結すれば、図３に示すように、全体が正方形のシート状のマット玩具（Ｍ）を完成することができる。
【００１９】
また、前記マット部材（１）は、それぞれ表面に像やライオン等の動物、建物、あるいは草木などの図柄が表示されるほか、各辺部の中央部に向けて伸びる道路の図柄（１０）が表示されている。
【００２０】
したがって、各マット部材（１）を平面上に連結していくと、各箇所に動物、建物、あるいは草木などからなる一つのサファリパークが構成される。また、例えば図４に示すようにマット部材（１）の配置箇所を変更することにより動物、建物、あるいは草木の配置も種々に変更可能である。
【００２１】
さらに、各辺部の中央部に向けて伸びる道路の図柄（１０）が各マット部材（１）ごとに種々表示されている。例えば図４に示すように各マット部材（１）をどのような配置構成で連結しても各辺部の道路の図柄が一致して連続した路となり、しかも路の組み合わせの種類は膨大なものとなる。なお、図４における各数字はマット部材（１）の配置箇所を分かりやすくするために仮想的に付した番号である。
【００２２】
したがって、幼児や子供はマット部材（１）を所望の配置構成で連結すれば、自分だけのサファリパークや街を作り出すことができる。またマット部材（１）の配置構成を変更するたびに異なる連続した道路の図柄（１０）が完成するため、様々な構成の道路の図柄（１０）を辿ったり、あるいは道路の図柄（１０）に沿って乗物や動物のおもちゃを走らせるようにして遊ぶことができ、ひいては幼児や子供の好奇心をそそり興趣につきないものとなる。
【００２３】
また、前記マット部材（１）は、エンボス加工等により表面に滑り止め用の凹凸が形成されるのが好ましい。これにより幼児や子供はマット玩具（Ｍ）上で走り回ったりしても滑って転ぶことを防止することができる。
【００２４】
また、複数のマット部材（１）が互いに平面上に連結された状態のマット玩具（Ｍ）の最外周部を取り囲むようにして環状部材（２）が設けられている。この環状部材（２）は複数（本実施形態では１２枚）に分割され、その内辺部にマット部材（１）と連結するための連結片（２ａ）が形成されるとともに、その外辺部はフラットに形成されている。
【００２５】
これによりマット玩具（Ｍ）の最外周部に位置するマット部材（１）の露出した連結片（１ａ）に各環状部材（２）の連結片（２ａ）を連結させれば、マット部材（１）の最外周部をフラットな状態にすることができ、マットとして外観上の意匠性を向上させることができる。
【００２６】
なお、本実施形態では、マット部材（１）を上記大きさの９枚としたが、その他の大きさおよび枚数であってもよい。
【００２７】
また、マット部材（１）の連結構造は上記のものに限定されるものではなく、その他の連結構造であってもよい。
【００２８】
また、マット部材（１）の形状を正方形としたが、その他の正多角形であってもよい。
【００２９】
また、マット部材（１）の表面の図柄は、動物、建物、および草木のようなサファリパークの図柄に限定されるものではなく、街や駅などその他の図柄であってもよい。
【００３０】
また、マット部材（１）の表面の路の図柄は、道路の図柄（１０）に限定されるものではなく、線路や空路などのその他の路の図柄であってもよい。要は、マット部材（１）の各辺部の中央部に向けて伸びる道路、線路、空路等の路の図柄が表示されていればよい。
【００３１】
また、環状部材（２）を一枚のマット部材（１）の辺部長さに対応するように１２枚に分割したが、例えばマット部材（１）３枚分の辺部長さに対応するように４枚に分割したり、あるいはその他の枚数に分割してもよい。あるいは環状部材（２）を設けずにマット部材（１）のみで構成するものとしてもよい。
【図面の簡単な説明】
【００３２】
【図１】本発明の一実施形態に係るマット玩具の斜視図である。
【図２】マット玩具におけるマット部材の拡大図である。
【図３】マット玩具を連結した状態を示す平面図である。
【図４】マット玩具の連結例を示す平面図である。
【符号の説明】
【００３３】
１・・・マット部材
１ａ・・・連結片
１０・・・道路の図柄
２・・・環状部材
２ａ・・・連結片
【図１】
0003132065.tif 000003
【図２】
0003132065.tif 000004
【図３】
0003132065.tif 000005
【図４】
0003132065.tif 000006